Podtech/llm-jp-corpus-v4-ja_patent huggingface dataset:
(57)【要約】【課題】エンジンの振動に伴う面振動、並びにエンジン音やオイルポンプ駆動音の共鳴を抑制し、騒音低減を図り得るオイルパン構造を提供する。【解決手段】オイルパン１の側面部２，２の下部に、内面側へ屈曲して底面部４につながる傾斜面部２ａ，２ａを形成する。【選択図】図２
2013096238.tif 000002
【特許請求の範囲】
【請求項１】
側面部と底面部とを有する深皿状に形成され且つエンジンのシリンダブロック下部に取り付けられるオイルパン構造において、
前記側面部の下部に内面側へ屈曲して底面部につながる傾斜面部を形成したことを特徴とするオイルパン構造。
【請求項２】
前記側面部及び傾斜面部に、外面側へ張り出し且つ上下方向へ延びるリブを形成した請求項１記載のオイルパン構造。
【請求項３】
アルミニウムダイカストにて成形を行うよう構成した請求項２記載のオイルパン構造。 
【発明の詳細な説明】
【技術分野】
【０００１】
本発明は、オイルパン構造に関するものである。
【背景技術】
【０００２】
一般に、自動車のエンジンにおいては、シリンダブロックの下部に、エンジンオイルを溜めるオイルパンが設けられている。
【０００３】
図３及び図４は従来のオイルパンの一例を示すものであって、オイルパン１は、側面部２，２及び側面部３，３と底面部４とを有する深皿状に形成されており、エンジンのシリンダブロック５下部に取り付けられる。
【０００４】
尚、前述の如きオイルパンと関連する一般的技術水準を示すものとしては、例えば、特許文献１がある。
【先行技術文献】
【特許文献】
【０００５】
【特許文献１】特開２００２−２２７６２６号公報
【発明の概要】
【発明が解決しようとする課題】
【０００６】
しかしながら、図３及び図４示されるような従来のオイルパン１では、側面部２，２と底面部４の平面部分が広いため、エンジンの振動に伴う面振動が生じやすく、騒音発生の原因になると共に、特に、底面部４は、エンジン音やオイルポンプ駆動音が共鳴し、騒音が大きくなるという欠点を有していた。
【０００７】
本発明は、斯かる実情に鑑み、エンジンの振動に伴う面振動、並びにエンジン音やオイルポンプ駆動音の共鳴を抑制し、騒音低減を図り得るオイルパン構造を提供しようとするものである。
【課題を解決するための手段】
【０００８】
本発明は、側面部と底面部とを有する深皿状に形成され且つエンジンのシリンダブロック下部に取り付けられるオイルパン構造において、
前記側面部の下部に内面側へ屈曲して底面部につながる傾斜面部を形成したことを特徴とするオイルパン構造にかかるものである。
【０００９】
上記手段によれば、以下のような作用が得られる。
【００１０】
前述の如く、オイルパンの側面部の下部に、内面側へ屈曲して底面部につながる傾斜面部を形成すると、従来のオイルパンの場合、一方の側面部から底面部へつながる面の折り曲げ箇所が一箇所であったのが、二箇所に増えて面強度が増し、固有振動数が増加すると共に、側面部と底面部の平面部分が狭められるため、エンジンの振動に伴う面振動が生じにくくなり、騒音発生が抑えられると共に、前記底面部の平面部分の面積が減少することにより、エンジン音やオイルポンプ駆動音が共鳴しにくくなり、騒音が小さくなる。
【００１１】
前記オイルパン構造においては、前記側面部及び傾斜面部に、外面側へ張り出し且つ上下方向へ延びるリブを形成することができ、このようにすると、側面部及び傾斜面部の肉厚を厚くせずに面強度を更に増加させることが可能となり、重量増加を回避しつつ騒音発生を抑える上で有効となる。
【００１２】
又、前記オイルパン構造においては、アルミニウムダイカストにて成形を行うよう構成すると、前記リブは溶接したりすることなく側面部及び傾斜面部形成することができ、好ましい。
【発明の効果】
【００１３】
本発明のオイルパン構造によれば、エンジンの振動に伴う面振動、並びにエンジン音やオイルポンプ駆動音の共鳴を抑制し、騒音低減を図り得るという優れた効果を奏し得る。
【図面の簡単な説明】
【００１４】
【図１】本発明のオイルパン構造の実施例を示す斜視図である。
【図２】本発明のオイルパン構造の実施例を示す断面図であって、図１のＩＩ−ＩＩ矢視相当図である。
【図３】従来のオイルパンの一例を示す斜視図である。
【図４】従来のオイルパンの一例を示す断面図であって、図３のＩＶ−ＩＶ矢視相当図である。
【発明を実施するための形態】
【００１５】
以下、本発明の実施の形態を添付図面を参照して説明する。
【００１６】
図１及び図２は本発明のオイルパン構造の実施例であって、図中、図３及び図４と同一の符号を付した部分は同一物を表わしており、基本的な構成は図３及び図４に示す従来のものと同様であるが、本実施例の特徴とするところは、図１及び図２に示す如く、オイルパン１の側面部２，２の下部に、内面側へ屈曲して底面部４につながる傾斜面部２ａ，２ａを形成した点にある。
【００１７】
本実施例の場合、前記側面部２，２及び傾斜面部２ａ，２ａに、外面側へ張り出し且つ上下方向へ延びるリブ２ｂを形成してある。
【００１８】
又、本実施例のオイルパン１は、アルミニウムダイカストにて成形を行うよう構成してある。
【００１９】
次に、上記実施例の作用を説明する。
【００２０】
前述の如く、オイルパン１の側面部２，２の下部に、内面側へ屈曲して底面部４につながる傾斜面部２ａ，２ａを形成すると、図３及び図４示されるような従来のオイルパン１の場合、一方の側面部２から底面部４へつながる面の折り曲げ箇所が一箇所であったのが、図２に示す如く、二箇所に増えて面強度が増し、固有振動数が増加すると共に、側面部２，２と底面部４の平面部分が狭められるため、エンジンの振動に伴う面振動が生じにくくなり、騒音発生が抑えられると共に、前記底面部４の平面部分の面積が減少することにより、エンジン音やオイルポンプ駆動音が共鳴しにくくなり、騒音が小さくなる。
【００２１】
本実施例の場合、前記側面部２，２及び傾斜面部２ａ，２ａに、外面側へ張り出し且つ上下方向へ延びるリブ２ｂを形成してあるため、該側面部２，２及び傾斜面部２ａ，２ａの肉厚を厚くせずに面強度を更に増加させることが可能となり、重量増加を回避しつつ騒音発生を抑える上で有効となっている。
【００２２】
又、本実施例のオイルパン１は、アルミニウムダイカストにて成形を行うよう構成してあるため、前記リブ２ｂは溶接したりすることなく側面部２，２及び傾斜面部２ａ，２ａに形成することができ、好ましい。
【００２３】
こうして、エンジンの振動に伴う面振動、並びにエンジン音やオイルポンプ駆動音の共鳴を抑制し、騒音低減を図り得る。
【００２４】
尚、本発明のオイルパン構造は、上述の実施例にのみ限定されるものではなく、本発明の要旨を逸脱しない範囲内において種々変更を加え得ることは勿論である。
【符号の説明】
【００２５】
１    オイルパン
２    側面部
２ａ  傾斜面部
２ｂ  リブ
３    側面部
４    底面部
５    シリンダブロック 
【図１】
2013096238.tif 000003
【図２】
2013096238.tif 000004
【図３】
2013096238.tif 000005
【図４】
2013096238.tif 000006
(57)【要約】【課題】シンクに於いて食器類を洗浄する際、汚れた水滴が飛散し作業者の衣服を汚すため一般的にはエプロンや前掛けなどでその防止策をとる必要があった。  本発明は、シンクに於いて洗浄作業者がエプロンや前掛けなどを使用する必要のない、水滴飛散防止仕切り板を提供する。【解決手段】食器等洗浄の際、エプロンや前掛け等を使用しなくても、水滴飛散防止仕切り板をシンク前部の上部に乗せるだけで、水滴の飛散を食い止めて衣服を汚さないことを特徴とした水滴飛散防止具。【選択図】図２
2013096220.tif 000002
【特許請求の範囲】
【請求項１】
食器等を洗浄する際、台座に仕切り板を設けた仕切り板本体を、シンク前部の上部に取り付けた水滴飛散防止仕切り板。
【発明の詳細な説明】
【技術分野】
【０００１】  本発明は、シンクにおいて食器等を洗浄する際、水滴が飛散して作業者の衣服を汚すことを防ぐものである。
【技術背景】
【０００２】  シンクにおいて食器等を洗浄する際、水滴が飛散して作業者の衣服を汚すため、一般的にはエプロンや前掛けを使用して、衣服の汚れるのを保護する必要がある。
【発明の概要】
【発明が解決しようとする課題】
【０００３】  シンクにおいて食器等を洗浄する際、水滴が飛散して作業者の衣服を汚すため、作業者はその都度エプロンや前掛けを使用して、汚れた水滴で衣服を汚さないようにする必要がある。
本発明は、以上の問題点を解決するためのものである。
【課題を解決しようとするための手段】
【０００４】  シンクの前部に、水滴を遮断するための仕切り板本体を取り付けた、水滴飛散防止仕切り板。
【発明の効果】
【０００５】  本発明の仕切り板を使用することで、シンクで度々の食器等の洗浄の際、その都度面倒なエプロンや前掛けの使用が不要となる。
【図面の簡単な説明】
【０００６】
【図１】本発明の斜視図
【図２】本体をシンク前部に乗せた取り付け状態図。
【考案を実地するための形態】
以下本発明の実施の形態を説明する。
【０００７】  （イ）仕切り板（１）本体（３）の大きさは、例えば巾５０ｃｍ，高さ８ｃｍ程度である。
（ロ）仕切り板（１）本体（３）が、シンク（４）前部の上部に乗るようシンク（４）の形態にあわせた台座（２）とする。
（ハ）仕切り板と台座は固定された一体のものである。
（ニ）仕切り板本体（３）はシンク（４）に着脱自在に設けられている。
本発明は以上のような構造である。
本発明を使用する際は、仕切り板（１）をシンク（４）上部に乗せて洗浄作業をすることで水滴の飛散を防ぎ、衣服を汚れから保護するというものである。
洗浄作業が終わり必要なくなった場合は取り外せば良い。
【符号の説明】
【０００８】  １仕切り板
２台座
３本体
４シンク
【図１】
2013096220.tif 000003
【図２】
2013096220.tif 000004
(57)【要約】      （修正有）【課題】従来の木造住宅建築では計算をしない限り筋交いと耐力壁が必要となる、材料の低減、工期短縮を図る手法を提供する。【解決手段】柱１本当りのせん断耐力計算をして置き、建物の重量に併せて、必要な柱の本数を算定する工法。【選択図】図１
2013096219.tif 000002
【特許請求の範囲】
【請求項１】
長さ１２５ｍｍのネジ付中空ボルトを１６０ｍｍ間隔で長さ３００ｍｍ巾６００ｍｍの鉄板の中央に立てた土台用金物。
【請求項２】
長さ２１５ｍｍのネジ付中空ボルトを１６０ｍｍ間隔で長さ３００ｍｍ巾６００ｍｍ鉄板の中央に立てた梁用金物。
【請求項３】
長さ３００ｍｍはば６０ｍｍの鉄板の中央部に間隔１００ｍｍでボルト穴の開いた鉄板を立てた柱用金物。
【請求項４】
長さ１１５ｍｍの柱の上下を取り付けるための中空ボルト。
【請求項５】
中空ボルトに穴を開けて中空部からモルタルを挿入し、モルタルで木材とボルトの隙間を埋める工法。
【請求項６】
ボルトの中空部を塞ぐ木の込み栓。
【発明の詳細な説明】
【発明の詳細な説明】
【０００１】本発明は、建築工事で使用される、使用される筋交い、耐力壁の代わりとなる金物を考案したものである。
【０００２】本金物を使用すれば、筋交い、耐力壁は必要ないのである。
【０００３】柱に使われる材種に応じ、そのせん断耐力と柱に曲げモーメントが生じない柱の断面の核にいたるせん断力を比較し、柱が倒れないことを、数値で証明したものである。
【０００４】この発明により、筋交い、耐力壁が必要なくなり、施工の期間の短縮が図られ、誰でもが、簡単な道具さえあれば、専門的な知識が無くても、施工が出来るようになったのである。
【０００５】基準法上、通常建築される木造住宅の階数と軒高さの制限は３階と９．０ｍまでとあるが、計算してあるので、通し柱の太さの制限が無く、壁を造る場合、その使われ方が非常に便利なのである。
【図面の簡単な説明】
【０００６】
【図１】柱の上下に取り付ける金物
【図２】梁上部、土台下部から柱の上下に取り付けた金物をボルトで接合する金物
【図３】柱の上下を取り付ける中空ボルト
【符号の説明】
【０００７】１．長さ３００ｍｍ巾６０ｍｍ厚さ３．２ｍｍの鉄板
２．長さ１００ｍｍ巾６０ｍｍ厚さ３．２ｍｍの鉄板
３．中空ボルトが１５ｍｍ程度伸びる穴
４．柱取付け用中空ボルト穴
ａ１  土台、梁貫通ボルト
ａ２  長さ３００ｍｍ巾６０ｍｍ厚さ３．２ｍｍの鉄板
ａ３  中空ボルトのネジ部分
ａ４  中空ボルトに明けられたモルタル滲み出しよう穴
ａ５  木造栓
ｂ１  中空ボルトの片方
ｂ２  中空ボルト
ｂ３  中空ボルトのネジ部分
ｂ４  中空ボルトを貫通した穴
ｂ５  木造栓
【図１】
2013096219.tif 000003
【図２】
2013096219.tif 000004
【図３】
2013096219.tif 000005
(57)【要約】      （修正有）【課題】建物の床下等密閉された空間に、維持費を掛けずに乾燥した新鮮な空気で自動的に換気防虫を行い建物の環境衛生改善を行う。【解決手段】中空容器１内部の一端部分に羽根３付きモーター２を取り付けた板４を外部よりビス５にて固定する。中空容器１内部他端部分に網付き枠６−１、７−１を開口部６、７より挿入装着し、網付き枠６−１と７−１の間に防虫剤を内臓する。モーター２の作動電源は太陽光発電機の電源とし、電線１１で接続し途中に正回転、反回転切り替えスイッチ１０を設ける。中空容器１に鍔１２を取り付け建物に固定し易くした構造の換気防虫装置とする。【選択図】図１
2013096692.tif 000002
【特許請求の範囲】
【請求項１】
中空容器（１）内部に取り付けた羽根（３）付きモーター（２）を太陽光発電機（９）で作動する換気防虫装置。
【請求項２】
中空容器（１）内部に網付き枠（６−１）と網付き枠（７−１）取り付け、防虫剤を内臓できる構造とした請求項１の換気防虫装置。
【発明の詳細な説明】
【発明の詳細な説明】
【産業上の利用分野】
【００１】家屋、倉庫、小屋等建物の環境衛生改善の分野。
【背景技術】
【００２】従来の換気装置の作動電源は商用電源であり、防虫剤内蔵の物はなく、天候で自動作動、停止をしない。
【発明が解決しようとする課題】
【０００３】商用電源を使用せず維持費をゼロとし、晴天時のみ作動し乾燥した新鮮空気を利用して換気防虫を行うことである。
【課題を解決するための手段】
【０００４】換気防虫装置のモーター作動電源として太陽光発電機の電源を使用し、晴天時のみ作動する。装置内に防虫剤を内臓し換気時に成分を流布する。
【作用】
【０００５】太陽光発電機の電源を使用することで、維持費はゼロとなる。晴天時のみ作動するため、湿度の低い乾燥した新鮮空気で建物の床下等密閉された部分の換気を行い内臓された防虫剤を流布し、建物の環境衛生を改善できる。
【実施例】
【０００６】中空容器」（１）内部の一端部分に羽根（３）付きモーター（２）取り付け板（４）をビス（５）で外部より固定し、モーター（２）電源リード線を太陽光発電機（９）電源の電線（１１）に接続し、電線（１１）にモーターの正、反切り替えようスイッチ（１０）を設ける。中空容器（１）内部多端部分に網付き枠（６−１）、網付き枠（７−１）装着用開口部（６）、（７）を設け、網付き枠（６−１）と（７−１）を挿入装着し、その間に防虫剤（８）を内臓する。
中空容器（１）外部に鍔（１２）を取り付け、鍔（１２）を利用し、建物基礎コンクリートの開口部、又は幕板の開口部に中空容器（１）をはめ込み鍔（１２）のビス穴（１２−１）でビスにて固定し、建物基礎コンクリート通気口に取り付けの際は、網付き枠（６−１）、（７−１）側を外気側とし、太陽光発電機（９）は太陽光の当たる場所に取り付ける。
建物基礎コンクリートの南側通気口取り付けの本装置は床下内部に吸気するようにスイッチ（１０）をセットする。北側通気口の本装置は排気するようにスイッチ（１０）をセットすると良い。北側の太陽光発電機（９）は南側の太陽光の当たる場所に取り付ける。
本装置は太陽光の射す時のみ作動するため、湿度の低い乾燥した新鮮な空気のみを防虫剤と一緒に建物内部の密閉された空間に取り込むことができ、環境衛生の改善ができる。維持費は掛からない。
【図面の簡単な説明】
【図１】  装置正面全体斜視図
【図２】  装置背面全体斜視図
【符号の説明】１，  中空容器
２、  モーター
３、  羽根
４、  板
５、  ビス
６、  網付き枠（６−１）挿入口
６−１、網付き枠
７、  網付き枠（７−１）挿入口
７−１、網付き枠
８、  防虫剤
９、  太陽光発電機
１０、モーター正回転、反回転切り替えスイッチ
１１、電線
１２、鍔
１２−１鍔ビス穴
【図１】
2013096692.tif 000003
【図２】
2013096692.tif 000004
(57)【要約】【課題】従来の冷感付与剤は肌用や衣類用のものであり、使用目的は日中の暑さ対策専用であった。これら組成物は夏の暑苦しい睡眠をサポートする枕や布団等の寝具に用途を勘案した成分組成ではない。【解決手段】メントールやエタノールを主成分とした枕や布団専用の冷感成分組成とし、夏の暑苦しい睡眠を快適に入眠ができるよう開発された。また安眠促進のため、気持ちを落ち着かせる効果のある香料を配合し、さらに快適睡眠の視点から入眠の促進をする。【選択図】なし【特許請求の範囲】
【請求項１】
枕や布団などの寝具専用に最適の組成物を配合し、さらに安眠効果のある香料を含有した冷感効果のある付与剤。
【発明の詳細な説明】
【技術分野】
【０００１】  本発明は、枕や布団用冷感付与剤に関する。暑苦しく眠りにくい睡眠前に、枕や布団に適用し身体と接触することによって涼しく感じることができる枕・布団用冷感付与剤に関する。
【背景技術】
【０００２】  近年の地球温暖化により夏場の暑さが年々厳しくなってきている。その一方で、東日本大震災から端を発する節電トレンドから、夏場のエアコン設定温度を高めにすることが奨励されている。また睡眠時にエアコンを付けっぱなしだと、身体を冷やし過ぎ身体に悪影響を及ぼすことは一般的に幅広く知られている。このような厳しい暑さをしのぐための製品としては、例えば冷却スプレーや冷却剤付きのバッグやマット等のように局所的に冷感を付与して一時的に暑さを和らげることができるものがすでに知られている（例えば特許文献１乃至３）。【０００３】  しかしながら冷感スプレーに関して寝具用に開発された製品が皆無に等しく、一般的に認知されておらず、また使用する習慣も当然ながら皆無のが現状である。【０００４】  また冷感スプレーは、通常、肌に直接噴霧するため、べたついたり、人によっては含有される成分に過敏に反応して肌荒れ等を起こす等の問題があった。また、汗によって冷却成分が流れ落ちたり、揮発性の冷却成分を用いた場合には体温で常に冷却成分が揮発されるなど、冷感が持続しないという問題があった。また、冷却剤を収容したバッグ、マット等は、暑さを感じなくなっても冷感を付与し続けるため、冷感効果が強すぎて寒く感じることがあった。【０００５】  このような背景から、睡眠時に暑苦しい枕や布団を優れた冷感効果を実感できる冷感付与材が求められていた。また冷感と同時に、快眠を促進するリラックスアロマの効果も求められていた。
【先行技術文献】
【０００６】
【特許文献１】特開２０００−２３９１４２
【特許文献２】特開２００２−８０３３５
【特許文献３】特開２０１０−８４２６９
【発明の概要】
【発明が解決しようとする課題】
【０００７】  従来の冷感付与剤では睡眠時専用の冷感成分組成ではないため、枕・布団専用として使用することはできなかった。【０００８】  本発明は、このような従来の冷感付与剤が解決できなかった問題を解決しようとするものであり、枕・布団専用の冷感成分組成を開発し、暑苦しい夜を快適に眠ることができる目的を持つものである。
【課題を解決するための手段】
【０００９】  そして本発明は上記課題を解決すべく枕・布団用に適した冷感成分組成を検討し、メントールとエタノールなどを含有する組成物を噴霧することによって、冷感効果の持続性が優れた成分を見いだした。本発明はこのような知見から研究を重ねて完成させたものである。【００１０】  本発明は、以下の枕・布団用冷感付与剤を提供する。
項１．０．１〜２５重量％のメントールと、エタノールとを含有する枕・布団用冷感付与剤。
項２．メントールがｌ−メントールである、項１に記載の枕・布団用冷感付与剤。
項３．エタノールを５０〜９９．９重量％含有する、項１又は２に記載の枕・布団用冷感付与剤。
項４．エアゾールスプレータイプである項１〜３のいずれかに記載の枕・布団用冷感付与剤。
項５．項１〜４のいずれかに記載の枕・布団用冷感付与剤を、寝具に適用することによって冷感を得る方法。
【発明の効果】
【００１１】  上述したように、本発明の枕・布団用冷感付与剤は、枕や布団に噴霧するだけで暑苦しい寝具を涼しく快適に睡眠を取ることができるものである。また、本発明の組成物は、一度吹きかけると一定の時間に亘って効果が持続するため、寝具に入ってから入眠までの間涼しく快適に睡眠することができる。【００１２】  さらに、睡眠時にリラックス効果のある香料を配合しているため、香りによる安眠効果も得ることができる。具体的にはラベンダーやローズなどの香料を含有するものである。
【発明を実施するための形態】
【００１３】  本発明の枕・布団用冷感付与剤は、メントールとエタノールを含有することを特徴とするものである。本明細書において、冷感とは、本発明の枕・布団用冷感付与剤を寝具に噴霧した部分が身体に接触した際にひんやりと冷たい感じがすることを指す。
【００１４】  本発明の枕・布団用冷感付与剤は、上記メントール及びエタノール以外に安眠効果やリラックス効果のある香料を含有することにより、さらに快眠を促進させるものである。
【００１５】  本発明の枕・布団用冷感付与剤の組成物には、身体に悪影響を及ぼさない成分を適宜選択して配合することができる。各成分の混合方法は特に限定されず、従来公知の方法を採用することができる。
【００１６】  このようにして得られる本発明の枕・布団用冷感付与剤の剤型は、寝具に噴霧適用できる剤型であれば特に限定されず、従来公知の方法に従って適宜調製することができる。本発明の枕・布団用冷感付与剤の剤型としては、例えばエアゾールスプレータイプ、ミストスプレータイプ、ポンプスプレータイプ等が挙げられ、布への浸透性や対象物が限定できる等の利点を考慮するとエアゾールスプレータイプであることが好ましい。
【００１７】  本発明の組成物を使用する場合、枕や敷き布団、掛け布団や、夏場に使用することが多いブランケットなど肌に接する面に適量噴霧すればよい。具体的な噴霧量としては特に限定するものではないが、例えば５秒間連続噴射で５．５２ｇ〜７．５２ｇの噴射量である。また、汗をかきやすい頭や背中などの箇所の寝具（枕や敷き布団の背中部分など）に噴霧すると、汗をかいた時に冷たく感じ、本発明の冷感効果がより一層有効に発揮され得る。
【００１８】  本発明の枕・布団用冷感付与剤は、寝具に噴霧することによって寝具を構成する布上又は布中に保持され、身体表面の汗と接触することによって冷感を付与し得るものである。また、メントールの配合割合によっては、若干の刺激も付与され得るが、このような刺激性を好む使用者もいるため、冷感の強度とのバランスを考慮して適宜調整することが望ましい。さらに、本発明の冷感付与剤は、衣類に対して悪影響を与えることもない。
【実施例】
【００１９】  以下、枕・布団用冷感付与剤の冷却効果についての結果を図１に示す。【００２０】
【表１】
2013096049.tif 000002
(57)【要約】【課題】突然の雨（夕立等）により洗濯物が濡れるなどで、困る事がある。又自然で製品を乾燥させる職業では、予期せぬ雨のため損失を被る事が有るのではと考えた。そこで、雨が降った時、屋内の人に知らせるチャイム（ベル）が鳴り続ける器具が出来れば解決できる。【解決手段】チャイム（ベル）の電気回路の中間（中断部分）に食塩を入れた容器（皿など）をセットする。雨が降る事で容器の中に食塩水が出来る。薄い食塩水は電流を流すので電気回路は接続し、チャイムは鳴り続く。【選択図】図１
2013096981.tif 000002
【特許請求の範囲】
【請求項１】
電気回路の中断部分に食塩水を作ることで回路が連続する事となる。
中断部分には容器に食塩を撒き、降雨により食塩水が出来る構造とする。
【請求項２】
銅線が食塩水により錆びるため、接続部分は備長炭を使用する。
【発明の詳細な説明】
【技術分野】
【０００１】  本発明は、突然の雨による洗濯物、食品などが濡れるのを防ぐための雨降り通知ブザーに関する。
【背景技術】
【０００２】  従来の発明で、大気中の気温、湿度、気圧等で総合的に予想してチャイムで知らせる、「住宅管理システム」がある。
【先行技術文献】
【特許文献】
【０００３】
【特許文献１】特許電子図書館、特許出願８−１８５９０７号、公開番号平１０−３０３１４号
【発明の概要】
【発明が解決しようとする課題】
【０００４】  以上に記載した発明は、雨の予報であり、複雑な装置、高額な費用等で一般的なものでない。【０００５】  本発明は、小学５年生の夏休みの作品であり、装置も簡単で、費用も少なく一般家庭用向きを目的とするものである。
【課題を解決するための手段】
【０００６】  本発明は、チャイムの電気回路に食塩水を利用した簡単なもので、食塩水は薄いものでよく少量の食塩を容器に撤いて置くこと。【０００７】  また、食塩水の接触部分の錆び防止のためには備長炭を使用する事とした。
【発明の効果】  上述したように本発明の「雨です」は、簡単な装置、安価な費用で、突然の雨による洗濯物などの濡れを防ぐ事が出来る。
【図面の簡単な説明】
【０００８】
【図１】本発明の全体の概略図
【図２】電気回路の配線図
【図３】食塩水の容器部分の略図
【発明を実施するための形態】
【０００９】  以下、本発明の実施の形態を図１〜図３に基づいて説明する。
【００１０】  図においては、▲１▼は室内の柱などに掛けるが▲２▼、▲３▼が取り付けられており▲４▼により屋外の▲５▼に接続されている。▲５▼には▲６▼を撒き▲７▼２個を離して置く▲７▼には、それぞれ▲４▼の＋極と−極を接続する。雨が降る事により▲５▼の中には食塩水が出来、電流が流れる。それで、▲２▼は▲３▼を切るまで鳴り続ける。
なお、▲３▼には▲４▼の＋極（又は−極）のみを配線する。
【符号の説明】
【００１１】  ▲１▼  板
▲２▼  チャイム（ベル）
▲３▼  スイッチ
▲４▼  配線コード
▲５▼  容器
▲６▼  少量の食塩
▲７▼  備長炭
【受託番号】
【００１２】【配列表フリーテキスト】
【配列表】
【図１】
2013096981.tif 000003
【図２】
2013096981.tif 000004
【図３】
2013096981.tif 000005
(57)【要約】【課題】  粘土シルト等の７５ミクロン未満の粒子に付着している放射性核種は、水洗浄だけでは、容易に分離できないという問題点がある。【解決手段】  水だけや水に溶出しやすい放射性核種吸着薬剤を添加したり放射性核種を含有している粘土シルト等の７５ミクロン未満の粒子を造粒固化することで、水洗浄だけで効率的に放射性核種だけを分離することが可能となる。【特許請求の範囲】
【請求項１】
放射性核種の分離方法において、放射性核種吸着剤としてフミン酸、フルボ酸を使う処理方法。
【請求項２】
放射性核種物質を含有した物質として、土壌・焼却灰・脱水汚泥を対象とした処理方法。
【請求項３】
７５ミクロン未満の粒子に付着している放射性核種を造粒固化後、水洗浄して分離する方法。
【請求項４】
高アルカリ系薬剤を使用することで、容易に放射性核種だけを水に溶出させる方法。
【発明の詳細な説明】
【技術分野】
【０００１】  本発明は、放射性核種を含有している物質から放射性核種だけを効率よく分離する方法に関するものである。
【背景技術】
【０００２】  物質に付着している放射性核種を水洗浄により分離するのが一般的な処理方法である。しかし、粘土シルト等の７５ミクロン未満の粒子に付着している放射性核種は、水洗浄だけでは、容易に分離できないという問題点がある。
【発明の概要】
【発明が解決しようとする課題】
【０００３】  本発明は、上記問題点を解決するためになされたものであり、本発明の課題は、放射性核種を含有している物質から放射性核種だけを水洗浄だけで分離を容易にする方法を提供することにある。
【課題を解決するための手段】
【０００４】  本発明の放射性核種の分離方法は、放射性核種を含有している物質に放射性核種吸着剤や水だけを添加し、その後放射性核種が吸着している粘土シルト等を造粒固化し、最後に水洗浄することで、放射性核種だけを容易に分離する方法を提供する。
【発明の効果】
【０００６】  本発明によれば、水洗浄だけで容易に分離できない放射性核種の分離を効率的に提供することができる。
【発明を実施するための形態】
【０００７】  以下、本発明に係る放射性核種の分離方法の実施形態について説明する。
【０００８】  水だけやあらかじめ決めた配合率により、放射性核種吸着剤をピットに投入し、バックホーにて撹拌する。
【０００９】前記ピットに放射性核種を含有した物質を投入し、バックホーにて撹拌する。
【００１０】前記ピットで撹拌した放射性核種を含有した物質を造粒固化処理する。
【００１１】造粒固化処理後ある程度養生した後、水洗浄する。
【産業上の利用可能性】
【００１２】  放射性核種が付着した土壌・焼却灰・脱水汚泥を排出する業種に利用される可能性がある。
(57)【要約】      （修正有）【課題】ナットには、しめ込まれた后に振動などにより弛むという課題が有る。この原因を、安いコストによる工材によって解決しなければならない。何故ならば、ナットは広範囲に用いるものであるからである。【解決手段】絞めこまれて行くナット７の前面に薄ワッシャー２を入れる。この薄いワッシャー２にナット７が乗り揚りボールト６とナット７間にクサビが入った形を造る。つまりクサビをボールト６、ナット７間に入れるというしんぷるな方法によるものです、これにより弛みませんでした。【選択図】図２
2013096571.tif 000002
【特許請求の範囲】
【請求項１】
２段ワッシャー（以下ワッシャー）の構造は、１段目として一般的なワッシャーの厚みで構成され、２段目の部分は非常に厚みが薄く出来その中央部の穴の内径は、ボールトの谷の径と同じ太さに形成された２段ワッシャーの形を有するものである。
【請求項２】
図２に示めされたワッシャーをボールトの谷に入れ、しめ込まれて来たナットの山とボールトの山にワッシャーの薄い部分が鋏まれる。
この両方の山間に鋏まれたワッシャーの抵抗によってナットの弛み防止力が与えられ、その効果が発生するように考案されたワッシャーである。
【発明の詳細な説明】
【技術分野】
【０００１】本発明は、ナットの弛み防止の目的を持ったことによる考案に関するものである。
【背景技術】
【０００２】従来からナットの弛み防止に関しては種々の開発が有り、例えば高品スーパーロックとか、その后に開発されたハードロックなどの開発が有る。
【発明の開示】
【発明が解決しようとする課題】
【０００３】しかし従来の方法では、コスト高の問題が有った、スーパーロックの場合は、品質の問題とバラツキ性能による問題が有り、これを克復するためのコストが非常に高くつき、工材としての価値が無くなり、消えていった。
又ハードロックは素晴しい性能を有し品質のバラツキもなく良いもので有る事は確かであるが、コストの面で問題が出ている。
でも現在、アメリカの「ナサ」に採用されている。
これもコストを低く抑える事が課題でわないかと思われる。
【課題を解決するための手段】
【０００４】このコスト高と性能の課題を解決するためのシンプルな方法ではあるが、請求２に有るように、ワッシャーの厚さが２段になっているワッシヤーの薄い部分が有り、このワッシャーの中央部分はボールトのネヂ山の谷の部分を通り廻る事の出来る内径になっている。
この内径の利用により、請求項２で示すようにボールトの谷を廻り絞めこまれて来たナットによって押されて進んでいく、そしてナットの谷とボールトの谷の間に薄い部分のワッシャーが鋏まれる。
両方ナット、ボールトの山間に鋏まれたワッシャーの抵抗がクサビ的な効果を発揮してナットの弛み防止力が発生するように考案されたシンプルな方法による考案になっている。
【発明の効果】
【０００５】本発明によって、ナットの弛み防は、しめつけられたナットの后方より行うのではなく、ナットの強力なしめつけ力を生してその力をワッシャーの薄肉部分がクサビ的に利用される。
このクサビ的な考え方による物ものである。このワッシヤーの薄肉による部分のワッシャーがナット、ボルトの山間に鋏まれて効果を発揮する事であるがこの薄肉部分の硬質叉は軟質の異なる材質の違いによっても弛み防止力を増す事も可能であった。
【発明を実施するための最良の形態】
【０００６】このワッシャーはボールトとナットがしめつけあう事によって弛み止の役割を成すものである。
しめ付け合うナットとボールトの山間に異物を入れ、つまりクサビを入れる事である。
ナットとボールトのしめ合う力によってお互いのピッチに狂いが生ぢさせる事になる。これによってナットは振動などでわ弛む事はなくなる。
これを分解する時は、スパナーなどで弛ませる事は出来るからナット、ボールトに損傷を与えるものではなかった。
【産業上の利用可能性】
【０００７】本発明に係るワッシャーは、工業的に量産する事が可能であるばかりでなく、コスト面でも非常に有利である、又産業上の利用性、可能性も有するものである。
その為多面に渡って産業界に採用されると思われる。
【図面の簡単な説明】
【０００８】
【図１】２段ワッシャーがナット、ボルトに鋏まれた断面図
【図２】２段ワッシャーの断面図
【符号の説明】
【０００９】１  ２段ワッシャー
２  薄内ワッシャー部
３  ボールトの谷に入る経穴部
４  ナットの山
５  ボールトの山
６  ボールト
７、ナット
【図１】
2013096571.tif 000003
【図２】
2013096571.tif 000004
(57)【要約】【課題】屋外での傷口の保護をより速くし、湿布効果を付加した、従来品よりコンパクトにした打撲、腰痛、肩こりへの対処のある湿布付き救急絆創膏とする。【解決手段】救急絆創膏の入ったパッケージ2枚分にそれと同じ大きさの湿布の粘着力でその上から貼って1セットにし携帯用として、救急絆創膏で保護し、従来品よりたれびんを無くしコンパクトにしてかさばらず、財布等に二つ折りではさみ、傷口の保護が可能となり、急な肩こり、腰痛時、打撲時への対処としてはがした湿布を患部に貼って湿布効果を得る。【選択図】なし【特許請求の範囲】
【請求項１】
（ィ）パッケージに入った救急絆創膏を2枚備え、
（ロ）前記パッケージに入った救急絆創膏のパッケージにこのパッケージ2枚分と同じ大きさに切った湿布を1枚備え、
（ハ）前記救急絆創膏の白地の前記パッケージに救急絆創膏を傷口に貼るか、肩こり、腰痛、打撲時の湿布効果の使用法が書かれており、
（二）前記パッケージに入った救急絆創膏を前記救急絆創膏パッケージ2枚と同じ大きさの湿布の粘着力で貼り合わせて1セットにされている、二つ折りできる、
以上の如く特徴を持つ湿布付き救急絆創膏。
【発明の詳細な説明】
【技術分野】
【０００１】
本発明は、携帯オキシドール入りたれびんに救急絆創膏を巻いた即洗浄消毒保護セットに湿布効果を付加したものの改良簡素化品に関する。
【背景技術】
【０００２】
従来、外出先での傷口は救急絆創膏で保護するだけに留まっていたし打撲への処置はなかったし肩こり腰痛時にも大きくて携帯出来ない湿布しかなかった。
【０００３】
【特許文献１】特開2000−042025号公報
【特許文献２】特開2012-250047号公報
【発明の開示】
【発明が解決しようとする課題】
【０００４】
従来、外出先での傷口は救急絆創膏で保護するだけに留まっていたし打撲への処置はなかったし急な肩こり腰痛時の携帯用のポケットに入るぐらいの湿布もなかった。   
【課題を解決するための手段】
【０００５】
救急絆創膏のパッケージ2枚分にこれと同じ大きさの湿布の粘着力で貼り付け1セットにした。
【発明の効果】
【０００６】
外出先の屋外での傷の保護をさらにコンパクトにし、湿布効果も付加した財布等に二つ折りではさみ、かさばらず携帯出来得る。   
【発明を実施するための最良の形態】
【０００７】
白地のパッケージに入った救急絆創膏2枚分にその同じ大きさの湿布の粘着力で貼り合わせ1セットにし、傷口を救急絆創膏で保護し、打撲への処置は前記湿布効果で解決し、急な肩こり腰痛にも湿布のこの携帯用で処置する、二つ折りできる、以上の如く特徴を持つ湿布付き救急絆創膏。
【実施例】
【０００８】
既製品の前発明のたれびんを無くすことで生産過程を単純で早く当業者も作れるようにし、従来オキシドール部分のたれびんの無駄を省き、打撲、腰痛、肩こりへの処置は湿布効果で解決して上記の如く実施される。
【産業上の利用可能性】
【０００９】
この分野の発明は特許文献1と特許文献2の改良でより良く効率的になっており、生産過程という面でも良く、擦り傷の多い子供等に使用でき、肩こり、腰痛、打撲への処置ははがした湿布の湿布効果で従来品にはない効果で、よりコンパクトになっており携帯用としては産業上の利用可能性は高いと解される。
(57)【要約】      （修正有）【課題】枕・クッション・ぬいぐるみ等厚物を干す際、布団などと同様日当たりの良いベランダの手すり等に干したいのだが安定して干す手段が無い。太陽光を効率よく受け、安定して干すことができる厚物干し具を提供する。【解決手段】ベランダ等の手すり等に安定して設置できるよう逆Ｕ字型の形状をした全体支持挟部２のバネ付の第一回動部１により全体支持挟部２のアームが開きベランダ等の手すり等に挟み固定する。アームの端に回転角度調整可能な接触部４により平面ではない格子等の手すりなどにも安定して設置できる。全体支持挟部２のアームの一端のひも状部固定用の溝５に固定されたひも状部７で厚物を巻込み他方のひも状部係止用の溝６に係止する。【選択図】図１
2013223661.tif 000002
【特許請求の範囲】
【請求項１】
厚物を巻込み固定するためのひも状部と、全体が逆Ｕ字状に湾曲した形状を有する全体支持挟部と回転可能な接触部を有する厚物干しにおいて、前記全体支持挟部を構成するための一対のアームと、これらのアームの一端が回転可能連結し、バネにより逆Ｕ字状の閉じる方向に付勢する第一回動部を有し、前記ひも状部を構成するため、ひも状の一端を前記全体支持挟部のアームに固定し、厚物を巻込み他方のアームの任意の場所に係止できる特徴を有し、回転可能な接触部は設置面の形状に応じて角度の回転調整可能に連結された接触アームを有する厚物干し。
【請求項２】
前記ひも状部は、一般的なひも、もしくはゴム等伸縮性のある材質で形成されていることを特徴とする請求項１に記載の厚物干し。
【請求項３】
前記回転可能な接触部は、前記本体支持挟部のアームの端に角度回転調整可能に連結され、前記本体支持挟部が設置面の形状を問わず、より安定して設置するため最大の接地部分を確保できることを特徴とする厚物干し。
【発明の詳細な説明】
【技術分野】
【０００１】
本発明は、枕などの厚物などを干すことができる干し具に関する。
【背景技術】
【０００２】
従来の物干しでは、物干しざお等につるした挟み具、ネット状の枕干し等がある。例えば下記文献のように複数が提案されている。これらは、全体が逆Ｕ字状に湾曲し上から布団を挟む布団挟持部うち、Ｕ字状の一方の部分に枕を下から挟持するための枕挟持部が形成されるもの、またネット状の袋に枕を入れ物干し竿等につるす形状で形成される
【先行技術文献】
【特許文献】
【０００３】
【特許文献１】特開２００６−２３０７９４
【特許文献２】特開平１０−９４６９８
【０００４】
特許文献１の技術では、布団を挟む部分についてはバネの付勢力を有する回動部により連結されて構成され、一対のアームのうち一方のアームの他端が逆Ｕ字状が形成され第２回動部にて内側に付勢するバネの力で枕等を挟む特徴を有する。
【０００５】
特許文献２の技術では、袋状のネットの中に枕をいれ吊るし干す特徴を有する。
【発明の概要】
【発明が解決しようとする課題】
【０００６】
特許文献１の技術は、一対のアームに布団を挟みこまなければ安定しない。また枕を挟みこむアームも挟み幅に限界があり、よって一定の大きさ以上の物は固定ができない。
特許文献２の技術は、吊り下げる形状のため効率よく太陽光を受けることができない  前記従来の物干しざお等につるした挟み、ネット状の枕干し等では、日当たりが悪かったり、安定性に欠ける状況があった。枕・クッション・ぬいぐるみ等、厚物を安定して日当たりのよい手すり等に干す手段が無かった。
【０００７】
本発明は、このような厚物を日当たりのよい手すり等に安定して固定し干すことを実現することを目的とするものである。
【課題を解決するための手段】
【０００８】
厚物を巻込み固定するためのひも状部と、全体が逆Ｕ字状に湾曲した形状を有する全体支持挟部と回転可能な接触部を有する厚物干しにおいて、前記全体支持挟部を構成するための一対のアームと、このアームの一端が回転可能連結し、バネにより逆Ｕ字状の閉じる方向に付勢する第一回動部を有し、前記ひも状部を構成するため、ひも状を前記全体支持挟部のアームに固定し、厚物を巻込み他方のアームの任意の場所に係止できる特徴を有し、前記接触部を構成するため前記全体支持挟部のアームの回転可能連結部の他方のそれぞれの端に設置面の形状に応じて角度の回転調整可能に連結された接触アームを有する厚物干し。
【０００９】
前記ひも状部は、一般的なひも、もしくはゴム等伸縮性のある材質で形成されていることを特徴とする厚物干し。
【００１０】
前記接触部は、前記本体支持挟部のアームの端に角度回転調整可能に連結され、前記本体支持挟部が設置面の形状を問わず、より安定して設置するため最大の接地部分を確保できることを特徴とする厚物干し。
【発明の効果】
【００１１】
上述したように、本発明はこれまで干す場所が限定されていた厚物を効率よく干すことができ、安定した干し場を提供できるものである。
【００１２】
また、接触部が可動することにより、省スペースで収まり収納が便利である。
【図面の簡単な説明】
【００１３】
【図１】本発明の実施形態を示す厚物干しの全体図
【図２】本発明の設置面が平面の場合の図
【図３】本発明の設置面が格子等の場合の図
【発明を実施するための形態】
【００１４】
以下、本発明の実施の形態を図１〜図３に基づいて説明する。
図においては、第一回動部１の部分に内蔵されたバネの作用により逆Ｕ字状の全体支持挟部２で手すり等に本体を支持固定する。また、手すり等の形状が格子等安定しづらい形状の場合に回転部３で接触部４の角度を変え、しっかり固定するようにできる。一般的な壁型の手すりであれば２の全体支持挟部のみでの本体支持でもよい。また接触部４の手すりとの接触面は形状は問わないが波型の滑りにくい形状が望ましい。
【００１５】
枕・クッション・ぬいぐるみ等厚物を、全体支持挟部２の一方のアーム５に固定されていた一般的なひも状部７で巻込み、バランスよく厚物を支持固定し、全体支持挟部の他方のアームに設けた固定用の溝６に一般的なひも状部７の端を係止して厚物を固定する。この際、全体支持挟部２に設けた一般的なひも状部７を固定５・係止６する場所は任意で良いが、アーム中央がが望ましい。
【産業上の利用可能性】
【００１６】
本発明はこれまで干す場所が限定されていた厚物を効率よく干すことができ、安定した干し場を提供できるものである。また、接触部が可動することにより、省スペースで収まり収納が便利である。
【符号の説明】
【００１７】
１  第一回動部
２  全体支持挟部
３  回転部
４  接触部
５  ひも状部固定用の溝
６  ひも状部係止用の溝
７  ひも状部
【図１】
2013223661.tif 000003
【図２】
2013223661.tif 000004
【図３】
2013223661.tif 000005
(57)【要約】      （修正有）【課題】手、足の指の第一関節の回りに適するサイズの指穴を設けたリングに、施術した直後のネイル液を乾くまで保護する爪型のガード爪を設けて、爪に塗布したネイルアートが傷つき、剥離するのを防ぐ。【解決手段】手、もしくは、足の指の第一関節の回りに適するサイズの指穴３を設けたリング２に、施術した直後のネイル液を乾くまで保護するガード爪１を設けて、爪に塗布したネイルアートが傷つき、剥離するのを防ぐ。【選択図】図１
2013223698.tif 000002
【特許請求の範囲】
【請求項１】
手、もしくは、足の指の第一関節の回りに適するサイズの指穴（３）を設けたリング（２）に、施術した直後のネイル液を乾くまで保護するガード爪（１）を設けて、爪に塗布したネイルアートが傷つき、剥離するのを防ぐネイルガード。
【発明の詳細な説明】
【技術分野】
【０００１】  本発明は手、もしくは、足の指の第一関節の回りに適するサイズの指穴（３）を設けたリング（２）に、施術した直後のネイル液を乾くまで保護する爪型のガード爪（１）を設けて、爪に塗布したネイルアートが傷つき、剥離するのを防ぐ、ネイルガードに関するものである。
【背景技術】
【０００２】  従来、蓋の開閉によるケース型用具があった。
【先行技術文献】
【特許文献】
【０００３】
【特許文献１】  特開２００６−２９７０４２号公報
【発明の概要】
【発明が解決しようとする課題】
【０００４】  そのため、次のような問題点があった。
（イ）女性の化粧シーンをたのしくさせるに、ふさわしくないデザインだった。
（ロ）女性の購買シーンにふさわしくないデザインにより、販路が限定的だった。
（ハ）日常的な使用における簡便さに欠けていて、使い勝手が悪かった。
（ニ）新規性を好む女性への、素材的なトレンド感に欠けていた。
本発明は、これらの問題点を解決するためになされたものである。
【課題を解決するための手段】
【０００５】  手、足の指の第一関節の回りに適するサイズの指穴（３）を設けたリング（２）に、施術した直後のネイル液を乾くまで保護する爪型のガード爪（１）を設けて、爪に塗布したネイルアートが傷つき、剥離するのを防ぎ、女性の繊細で愉しいライフシーンを提供するネイルガード。
以上のように構成されたネイルガードである。
【発明の効果】
【０００６】  ネイルを塗った後、指がうっかりなにかに触れても、ネイルが剥がれなくなった。
外出前などに起きやすい、ネイルの塗り替えの手間がなくなった。
「かわいい」、「愉しい」、「便利」なコスメグッズが、女性たちのライフシーンを豊かにさせた。
コスメショップ、サロン、雑貨屋、ブティック等、多様に販路が拡大された。
【図面の簡単な説明】
【０００７】
【図１】  本発明の使用状態図である。
【図２】  本発明の斜視図である。
【図３】  本発明の部分図である。
【発明を実施するための形態】
【０００８】  以下、本発明の実施の形態について説明する。
手、もしくは、足の指の第一関節の回りに適するサイズの指穴（３）を設けたリング（２）に、施術直後のネイル液を乾くまで保護する爪型のガード爪（１）を設けて、爪に塗布したネイルアートが傷つき、剥離するのを防ぐネイルガード。
本発明を使用するときは、ネイルアートの前に、サイズの合うリングを、ガード爪を指腹側に向けて指先に差しこみ、ネイルアートが終わったらリングをくるりと回し、指の爪を覆う位置にとどめてネイル液が乾くのを待ち、取り外すときは爪ガードを指の爪と反対側にくるりと回してからリングを抜く。
【符号の説明】
【０００９】１  ガード爪
２  リング
３  指穴
【図１】
2013223698.tif 000003
【図２】
2013223698.tif 000004
【図３】
2013223698.tif 000005
(57)【要約】      （修正有）【課題】掛けられた洗濯物の重みで挟み強風や盗難などで引っ張られると挟む力が強くなり、外す事が困難になるが洗濯バサミ自体を、持ち上げることで簡単に開くことが出来るジャバラ式洗濯バサミを提供する。【解決手段】両端に差し込み組立て穴２Ａを設けた上部２と、一端とやや中央に差し込み組立て穴２Ａを設けた下部挟み部１と、上部２の差し込み組立て穴２Ａと中間部の差し込み組立て穴２Ａに差し込みピンを差し結合し、上部を吊具４を結合させた。【選択図】図５
2013223695.tif 000002
【特許請求の範囲】
【請求項１】
両端に差し込み組立て穴（２Ａ）を設けた上部部品（２）と片端と中央部に（２Ａ）を設けた下部部品（１）と上部部品の差し込み組立て穴（２Ａ）と上部部品を差し込みピン（３）で差し込み組立て結合し組立てた上部の（２Ａ）は（４）の吊具で結合し、以上のような構成されたジャバラ式洗濯バサミである。
【発明の詳細な説明】
【技術分野】
【０００１】この発明の洗濯バサミは、掛けられた洗濯物の重みで挟み、強風や盗難などで引っ張られると挟む力が強くなり外す事が困難になる。洗濯バサミ自体を持ち上げることで簡単に開くことが出来るジャバラ式洗濯バサミで下部部品挟み部、上部部品を組立てピンで結合させ上部同士を吊具で結合して吊り、上下運動させることで伸び縮みし開閉することを特徴とするジャバラ式洗濯バサミである。
【背景技術】
【０００２】従来の洗濯バサミは、バネで凹凸部を組合せたところを支点とし、バネの力を使って挟み指先で摘んで開き洗濯物を外すことが一般的であった。
【先行技術文献】
【特許文献】
【０００３】
【特許文献１】特開２００７−２５２８９０号公報
【特許文献２】特開２００９−１０６４０１号公報
【発明の概要】
【発明が解決しようとする課題】
【０００４】従来洗濯バサミは、バネの力で挟むため高齢者や力の弱い方には使いにくかった。
摘んで開くか無理に引っ張ることで衣類等を傷つけることが問題であった。従来のバネ式洗濯バサミでは洗濯物を引っ張るだけで盗まれたりもした。
【課題を解決するための手段】
【０００５】両端に差し込み穴（２Ａ）を設けた上部部品（２）と片端と中央に差し込み組み立て穴（２Ａ）を設けた下部部品（１）左右同品の中間部の穴（２Ａ）をクロスさせた穴に（３）のピンを差し組立て下部部品の片端の穴に（２）の上部部品の片方の穴にピン（３）で組立て反対側も同じように組立てて上部部品最上部の穴を左右合わせ吊具（４）で組合せ結合する。
以上のように構成され引力、引っ張りに強いジャバラ式洗濯バサミである。
【発明の効果】
【０００６】本発明品は下部が挟み部で洗濯物の重量で挟む力が生まれる。従来の洗濯バサミと違いバネを利用しないので高齢者や力の弱い方でも使いやすい。
干す時は下部を持ち上げると開口し洗濯物を挟み干すことが出来、外す時は最下部を持ち上げると挟み部が開口し外す事が出来る。
【図面の簡単な説明】
【０００７】
【図１】本発明の下部部品（１）上部部品差し込組立て穴差し込むピン関連を示した説明図である。
【図２】本発明の上部部品（２）組立て時の差込ピン関連を示した説明図である。
【図３】差し込み先端割りピンを示した説明図である。
【図４】ジャバラ式洗濯バサミ吊り金具を示した説明図である。
【図５】本発明のジャバラ式洗濯バサミを組立て吊り下げた状態を示す説明図である。
【図６】本発明の組み立てジャバラ式洗濯バサミの最下部を持ち上げ、挟み部が全開状態を示した説明図である。
【発明を実施するための形態】
【０００８】以下本発明の実施するための形態について説明する。
両端に差し込み組立て穴（２Ａ）を設けた上部部品（２）と片端と中央に差し込み組立て穴（２Ａ）を設けた下部部品（１）上部部品の片方の差し込み穴（２Ａ）を設けた下部部品（１）をクロスに組合せ中央部の（２Ａ）に差し込みピン（３）で組立て片端の（２Ａ）穴に（３）の差し込みピンで上部部品の（２Ａ）の穴をクロスに重ね差し込みピンで組立て、上部部品を左右から重ね合わせ中央で（４）の吊具で組合せ結合する。
以上のように構成されたジャバラ式洗濯バサミである。
更に詳しく説明すると
下部部品（１）同士を中央部穴でクロスさせ差し込み組立て穴（２Ａ）に差し込みピン（３）を差し込み結合させる。下部部品（１）の上の差し込み組立て穴（２Ａ）に（２）の片方の穴と左右ともクロスさせ（２Ａ）穴に組合せ差し込みピン（３）で結合させる（２）同士を吊具（４）でけつごうさせることでジャバラ式洗濯バサミになる。
本発明は指先で最下部を上げ下げすることにより伸び縮みで挟み部開閉することが出来るジャバラ式洗濯バサミである。
【符号の説明】
【０００９】    １    下部挟み部品
２    上部部品
２Ａ  差し込み組立て穴
３    差し込みピン
４    吊具
５    ジャバラ式洗濯バサミ吊下げ図
６    ジャバラ式洗濯バサミ上げ開口図
【図１】
2013223695.tif 000003
【図２】
2013223695.tif 000004
【図３】
2013223695.tif 000005
【図４】
2013223695.tif 000006
【図５】
2013223695.tif 000007
【図６】
2013223695.tif 000008
(57)【要約】【課題】転送しなくても、外部の電話機でインターホンに応答する事を可能にする。【解決手段】本発明のドアホン自体が電話端末であり、来客が呼び出しボタンを押せば、事前に設定した電話機に発信される。従って、電話さえ有ればどこに居ても来客に応答する事が可能になる。【選択図】図２
2013223052.tif 000002
【特許請求の範囲】
【請求項１】
電話端末として通信することを特徴とするドアホン。
【発明の詳細な説明】
【技術分野】
【０００１】
本発明は、電話端末として通信するドアホンに関するものである。
【背景技術】
【０００２】
インターホンは、玄関に行かなくても来客に対する応答を可能にしたので、防犯上の効果が大きい。音声通話だけでなく、来客者の画像を確認できるものもある。
【０００３】
しかし、来客に応答できるのはインターホンの構成内の端末に限られるので、外出時に留守を悟られる危険性もある。そこで、電話機に転送する物も数多く発売されてきた。
【発明の概要】
【発明が解決しようとする課題】
【０００４】
解決しようとする問題点は、外部の電話機でインターホンに応答するには、転送する事が必要だという事である。
【課題を解決するための手段】
【０００５】
本発明は、ドアホン自体が電話端末であるため、既存の電話回線を介して任意の電話機で応答する事を最も主要な特徴とする。
【発明の効果】
【０００６】
本発明のドアホンは、電話回線を介して直接受信側の電話機と通信する為、親機や電話回線への転送装置及びその間の配線工事が不要である。
【図面の簡単な説明】
【０００７】
【図１】図１は電話端末として通信するドアホンを示した説明図である。
【図２】図２は実施形態の一例を示す。
【発明を実施するための形態】
【０００８】
図１に示す様に、マイク、スピーカー、カメラ、呼び出しボタンを含む外観は、既存の玄関用インターホンと同様である。しかし、内部構造はダイヤルボタンが無い電話機であり、呼び出しボタンが押されると設定された電話番号へ発信する。
【０００９】
本発明のドアホンは、携帯電話、IP電話、固定電話等の電話回線の内、いずれかの電話端末として受信側の電話番号に発信する。
【００１０】
電話業者のサーバー又はドアホン本体に設定する方法で、受信側の電話番号や優先順位を自由に変更できる。
【実施例】
【００１１】
図２は本発明を使用した具体的な実施例である。この場合、携帯電話端末であるドアホンの呼び出しボタンが押されたら、携帯電話網を介して設定された電話番号に発信される。スマートホンなどで受信する場合は、来訪者の画像を確認する事も可能である。
【産業上の利用可能性】
【００１２】
ドアホンと受信側の電話を同じ電話回線会社に加入する事で、ユーザーは安価なサービスを受ける事ができる。
【００１３】
電話端末の更なる需要拡大が期待できる。
【図１】
2013223052.tif 000003
【図２】
2013223052.tif 000004